(57)【特許請求の範囲】
【請求項１】
通信ネットワーク用の共通パケットチャンネル（ＣＰＣＨ）上でデータを送信する方法であって、
電力制御プリアンブルがユーザー機器によって送信される場合、基地局から該ユーザー機器に専用物理チャンネル（ＤＰＣＨ）で共通パケットチャンネル命令ＣＣＣとしてメッセージ開始指示器を送信する工程と、
該メッセージ開始指示器が所定の時間内に受信される場合、該ユーザー機器から該基地局に該共通パケットチャンネルでＣＰＣＨメッセージを送信する工程と
を包含する、方法。
【請求項２】
前記ＣＰＣＨメッセージを送信することが、前記ユーザー機器によって前記メッセージ開始指示器の受信からの前記所定の時間内に実行される、請求項１に記載の方法。
【請求項３】
前記ユーザー機器は、前記メッセージ開始指示器が前記所定の時間内に受信されない場合に、前記ＣＰＣＨメッセージを送信することを中断する、請求項１に記載の方法。
【請求項４】
電力制御プリアンブルの転送フォーマット組合せ指示器（ＴＦＣＩ）を送信する工程をさらに包含し、前記メッセージ開始指示器を送信することは、該ＴＦＣＩの送信工程の後に、完了される、請求項１に記載の方法。
【請求項５】
前記ＣＣＣは、１スロット、１フレームまたは２フレームを超える長さのうちの１つの長さにわたって送信される、請求項１に記載の方法。
【請求項６】
前記ＣＣＣは、上位階層の制御命令をさらに含む、請求項１に記載の方法。
【請求項７】
前記ＣＣＣは４ビットを含む、請求項１に記載の方法。
【請求項８】
前記ＣＣＣのフィールドは、前記メッセージ開始指示器のための［１０１０］の４ビットを含み、緊急中断は、［１１１１］のＣＣＣフィールドについて行われる、請求項５、６または７に記載の方法。
【請求項９】
前記ＣＣＣは、送信の緊急中断を行うために用いられる、請求項６に記載の方法。
【請求項１０】
前記ＤＰＣＨは、共通パケットチャンネル送信を支持するためのダウンリンク専用物理制御チャンネルＤＰＣＣＨを含み、該ＤＰＣＣＨは、前記ＣＣＣのためのＣＣＣフィールドと、パイロットフィールド、転送電力制御（ＴＰＣ）フィールドまたは転送フォーマット組合せ指示器（ＴＦＣＩ）フィールドのうちの少なくとも１つとを含む、請求項１に記載の方法。
【請求項１１】
前記パイロットフィールドは少なくとも４ビットであり、前記ＴＰＣフィールドは少なくとも２ビットであり、前記ＣＣＣフィールドは少なくとも４ビットである、請求項１０に記載の方法。
【請求項１２】
前記パイロットフィールドは、少なくとも４ビットであり、前記ＴＰＣフィールド、ＴＦＣＩおよびＣＣＣフィールドは、それぞれ、少なくとも２ビットである、請求項１０に記載の方法。
【請求項１３】
前記ＣＣＣフィールドはチャンネルの推定のために用いられ、該推定は、前記ＣＣＣが前記ユーザー機器に送信されない時間の間に行われる、請求項１０に記載の方法。
【請求項１４】
前記ＣＣＣフィールドは電力制御の測定のために用いられ、該測定は、前記ＣＣＣが前記ユーザー機器に送信されない時間の間に行われる、請求項１０に記載の方法。
【請求項１５】
フレームを有する専用物理チャンネル（ＤＰＣＨ）を有する通信ネットワークであって、該フレームは、複数のスロットを含み、各スロットは、共通パケットチャンネル送信を支持するために、共通パケットチャンネル制御命令（ＣＣＣ）のためのフィールドを含む、通信ネットワーク。
【請求項１６】
前記ＣＣＣは、共通パケットチャンネルで送信されるメッセージ開始指示器を含む、請求項１５に記載のネットワーク。
【請求項１７】
前記ＤＰＣＨは、専用物理制御チャンネル（ＤＰＣＣＨ）と専用物理データチャンネル（ＤＰＤＣＨ）とを含み、該ＤＰＣＣＨは、共通パケットチャンネル送信を支持するために前記ＣＣＣを有する、請求項１５に記載のネットワーク。
【請求項１８】
前記ＣＣＣは、第１階層のメッセージ開始指示器または上位階層の制御命令である、請求項１５に記載のネットワーク。
【請求項１９】
前記ＣＣＣは、送信の緊急中断を行うために用いられる、請求項１５に記載のネットワーク。
【請求項２０】
前記ＣＣＣは４ビットを含む、請求項１５に記載のネットワーク。
【請求項２１】
前記ＣＣＣのフィールドは、前記メッセージ開始指示器のための［１０１０］の４ビットを含み、緊急中断は、［１１１１］のＣＣＣフィールドについて行われる、請求項１５、１６、１７、１８、１９または２０に記載のネットワーク。
【請求項２２】
電力制御プリアンブルを受信する手段と、
共通パケットチャンネル送信のためのダウンリンク専用物理制御チャンネル（ＤＬ  ＤＰＣＣＨ）を生成する手段であって、共通パケットチャンネル制御命令（ＣＣＣ）は、該共通パケットチャンネル送信を支持するために該ＤＬ  ＤＰＣＣＨで送信され、該ＣＣＣは該共通パケットチャンネルでメッセージの開始を指示する、手段と
を含む、基地局。
【請求項２３】
電力制御プリアンブルを生成する手段と、
共通パケットチャンネル（ＣＰＣＨ）のためのダウンリンク専用物理制御チャンネルによって送信される共通パケットチャンネル制御命令（ＣＣＣ）を受信し、検出する手段と、
受信された該ＣＣＣを検出すると、データを該ＣＰＣＨで送信する手段と
を含む、ユーザー機器。
【請求項２４】
前記ＣＣＣは、前記ＣＰＣＨで送信されるメッセージの開始を指示し、該ＣＰＣＨでの前記データの送信は、該ＣＣＣが検出されない場合には中断される、請求項２３に記載のユーザー機器。
【請求項２５】
共通パケットチャンネル（ＣＰＣＨ）でパケットを送信する方法であって、
電力制御プリアンブルの送信を含む、該パケットを送信するための該ＣＰＣＨにアクセスする手続を開始する工程と、
該開始する工程の電力制御プリアンブルの後に、該ＣＰＣＨのための専用物理チャンネル（ＤＰＣＨ）でフレームごとに送信されたメッセージ開始指示器を検出する工程と、
該メッセージ開始指示器が検出されるか否かに基づいて、該ＣＰＣＨ上でのパケット送信を開始するか、または、該ＣＰＣＨへの該アクセスを中止するかを決定する工程と
を包含する、方法。
【請求項２６】
前記決定する工程において、前記メッセージ開始指示器が検出される場合に、パケット送信が続けられ、もしくは、該メッセージ開始指示器が検出されない場合に、前記ＣＰＣＨへのアクセスが中断される、請求項２５に記載の方法。
【請求項２７】
前記パケットは、ＣＰＣＨメッセージ部およびＣＰＣＨメッセージ制御部を含む、請求項２５に記載の方法。
【請求項２８】
前記ＤＰＣＨは、ＣＰＣＨ制御命令（ＣＣＣ）を送信する専用物理制御チャンネルを含み、前記メッセージ開始指示器は、該ＣＣＣとして提供される、請求項２５に記載の方法。
【請求項２９】
前記ＤＰＣＨは、専用物理制御チャンネル（ＤＰＣＣＨ）および専用物理データチャンネル（ＤＰＤＣＨ）を含み、該ＤＰＤＣＨは、前記メッセージ開始指示器に用いられる部分を有する、請求項２５に記載の方法。
【請求項３０】
基地局（ノードＢ）およびユーザー機器（ＵＥ）を含む通信ネットワーク用の共通パケットチャンネル（ＣＰＣＨ）上でデータを送信する方法であって、
該ユーザー機器で、アクセスプリアンブル（ＡＰ）のために電力ランピングサイクルを行う工程と、
アクセスプリアンブル獲得指示器チャンネル（ＡＰ−ＡＩＣＨ）上で該アクセスプリアンブルの獲得を登録する工程と、
衝突検出（ＣＤ）プリアンブルを、物理共通パケットチャンネル（ＰＣＰＣＨ）で、該ユーザー機器から該基地局に送る工程と、
衝突検出指示チャンネル（ＣＤ−ＩＣＨ）で、該基地局で該衝突検出プリアンブルを受信する工程と、
共通パケットチャンネルメッセージを、該共通パケットチャンネルで、該ユーザー機器から該基地局に送信する工程と、
該共通パケットチャンネルメッセージが、該ユーザー機器から該基地局に送られている間に、メッセージ開始指示器（ＳＭＩ）を、専用物理制御チャンネル（ＤＰＣＣＨ）で、該基地局から該ユーザー機器に送る工程と、
該メッセージ開始指示器を所定の時間内に受信する場合には、該共通パケットチャンネルメッセージの送信を続け、そうでない場合には、該共通パケットチャンネルメッセージの送信を中止する工程と
を包含する、方法。
【請求項３１】
前記通信ネットワークは、前記ＵＥと前記ノードＢとの間に位置し、該ＵＥは、ＵＥ無線リンク制御（ＵＥ−ＲＬＣ）層、ＵＥ媒体アクセス制御（ＵＥ−ＭＡＣ）層およびＵＥ−Ｌ１層を含み、前記ノードＢは、ノードＢ−Ｌ１およびノードＢ無線リソース制御（ＲＲＣ）層を含み、
ＭＡＣ−Ｄ−データ−ＲＥＱプリミティブは、専用トラフィックチャンネル（ＤＴＣＨ）で送信され、
ＣＰＣＨ状態指示チャンネル（ＣＳＩＣＨ）に関連する第１のＲＲＣ情報は、該ノードＢ−ＲＲＣから該ＵＥ−Ｌ１に送信され、ＰＣＰＣＨ状態要請（ＲＥＱ）プリミティブが、該ＵＥ−ＭＡＣから該ＵＥ−Ｌ１に送信され、該ＣＳＩＣＨに関連する第２のＲＲＣ情報は、該ノードＢ−ＲＲＣから該ＵＥ−Ｌ１に送信され、ＰＣＰＣＨ状態確認（ＣＮＦ）プリミティブは、該ＵＥ−Ｌ１から該ＵＥ−ＭＡＣに送信され、
該ＵＥ−ＭＡＣは、パーシステントチェックおよび遅延を実施し、該ＣＳＩＣＨからのＣＰＣＨアクセスを要請するための送信フォーマットを選択し、該ＵＥ−ＭＡＣから該ＵＥ−Ｌ１にＰＨＹ−アクセス−ＲＥＱプリミティブを送信し、
アクセスプリアンブル（ＡＰ）は、第１電力Ｐ１で、該ＵＥ−Ｌ１から該ノードＢ−Ｌ１に送信され、該ノードＢ−ＲＲＣにおいて生成され、該ＵＥ−Ｌ１に送信されたＡＰ−ＡＩＣＨの記号の該ＵＥでの受信に基づいて、該ノードＢ−ＲＲＣに送信され、確認できない（ＮＡＫ）状態を該ＡＰ−ＡＩＣＨの記号が指示する場合には、該電力ランピングサイクルが新たに行われ、
衝突検出（ＣＤ）プリアンブルが、該ＰＣＰＣＨで、該ＵＥ−Ｌ１から該ノードＢ−Ｌ１に送信され、該ノードＢ−ＲＲＣに送信され、ＣＤまたはＣＤ／ＣＡ記号は、該受信したＣＤのプリアンブルの記号に基づいて、衝突検出および衝突割り当て指示チャンネル（ＣＤ／ＣＡ−ＩＣＨ）で、該ノードＢ−ＲＲＣから、該ノードＢ−Ｌ１に送信され、該ＣＤの記号に一致しない場合、前記電力ランピングサイクルが新たに行われ、
該ＵＥ−ＭＡＣは、ＣＰＣＨ転送フォーマットを選択して、ＣＰＣＨ転送ブロック群を作り、ＰＨＹ−データ−ＲＥＱプリミティブを該ＵＥ−ＭＡＣから該ＵＥ−Ｌ１に送信し、
閉鎖ループ電力制御（ＣＬＰＣ）プリアンブルは、該ＵＥ−Ｌ１から該ノードＢ−Ｌ１に送信され、対応する転送電力制御（ＴＰＣ）プリアンブルは、該ノードＢ−Ｌ１から該ＵＥ−Ｌ１に送信され、
該ＳＭＩを含むＣＰＣＨ制御命令は、専用物理チャンネル（ＤＰＣＨ）で、該ノードＢ−Ｌ１から該ＵＥ−Ｌ１に送信され、ＰＨＹ−状態−ＩＮＤプリミティブは、該ＵＥ−Ｌ１から該ＵＥ−ＭＡＣに送信されて、正常送信が確立されたことを指示し、第１のＰＨＹ−データ−ＩＮＤプリミティブは、該通信ネットワークのＣＲＮＣ−ＭＡＣ−Ｃ／ＳＨ層に送信され、第１のＭＡＣ−データ−ＩＮＤプリミティブは、該ＣＲＮＣ−ＭＡＣ−Ｃ／ＳＨ層から、該通信ネットワークのＳＲＮＣ−ＲＬＣ層に送信され、
各転送ブロック群について、ＭＡＣ−データ−ＲＥＱプリミティブは、該ＵＥ−ＲＬＣから該ＵＥ−ＭＡＣに送信され、ＰＨＹ−データ−ＲＥＱプリミティブは、該ユーザー機器で、該ＵＥ−ＭＡＣから該ＵＥ−Ｌ１に送信され、第２のＰＨＹ−データ−ＩＮＤプリミティブは、ＣＲＮＣ−ＭＡＣ−Ｃ／ＳＨ層に送信され、第２のＭＡＣ−データ−ＩＮＤプリミティブは、該基地局において、該ＣＲＮＣ−ＭＡＣ−Ｃ／ＳＨ層から該ＳＲＮＣ−ＲＬＣ層に送信される、請求項３０に記載の方法。
【請求項３２】
前記共通パケットチャンネル制御命令（ＣＣＣ）は、メッセージ開始指示器情報および上位階層制御命令のうちの一方である、請求項２３に記載のユーザー機器。
【請求項３３】
前記共通パケットチャンネル制御命令は、送信を中断するために使用される、請求項３２に記載のユーザー機器。
【請求項３４】
前記共通パケットチャンネル制御命令は、[１１１１]の４ビットを含む、請求項３２に記載のユーザー機器。
【請求項３５】
前記共通パケットチャンネル制御命令は、[１０１０]の４ビットを含む、請求項２３に記載のユーザー機器。
【請求項３６】
前記共通パケットチャンネル制御命令は、４ビットを含み、４ビットはランダムシーケンスの任意の１つである、請求項２３に記載のユーザー機器。
【請求項３７】
メッセージの第１転送ブロックが送られつつあり、正しいＣＰＣＨチャンネルが使用されているか否かをユーザー機器（ＵＥ）が知ることを可能にする一方で、メッセージ指示器の開始が前記基地局によって送られる、請求項２２に記載の基地局。
【請求項３８】
ある期間中に前記ＵＥがメッセージ指示器の開始を受信しない場合には、該ＵＥは該メッセージ送信をただちに中断し、それ以外の場合には、該ＵＥは該メッセージ送信を続ける、請求項３６に記載の基地局。
【発明の詳細な説明】
【０００１】
【本発明の属する技術分野】
本発明は次世代移動通信に関し、特に、特定のユーザー側（ＵＥ）と基地局（ＢＳ）側との間に正確な共通パケットチャンネル（ＣＰＣＨ）の割り当てに適している次世代移動通信における共通パケットチャンネル（ＣＰＣＨ）割当方法に関する。
【０００２】
【従来の技術】
最近、日本のＡＲＩＢ及びＴＴＣ、ヨーロッパのＥＴＳＩ、米国のＴ１、韓国のＴＴＡでは、次世代移動通信システムに対して技術的に標準化するために、第３世代共同プロジェクト（Ｔｈｉｒｄ  Ｇｅｎｅｒａｔｉｏｎ  Ｐａｒｔｎｅｒｓｈｉｐ  Ｐｒｏｊｅｃｔ；以下  ３ＧＰＰと略称する）を構成した。
こうした３ＧＰＰの研究部分中のグローバル無線接続ネットワーク（ＵＴＲＡＮ）に対するものでは、転送チャンネル（Ｔｒａｎｓｐｏｒｔ  ｃｈａｎｎｅｌ）と物理チャンネル（Ｐｈｙｓｉｃａｌ  ｃｈａｎｎｅｌ）に対する定義及び説明を述べている。
【０００３】
ここで、転送チャンネルの一種の共通パケットチャンネル（Ｃｏｍｍｏｎ  Ｐａｃｋｅｔ  Ｃｈａｎｎｅｌ，ＣＰＣＨ）は、ユーザー側（ＵＥ）でアップリンク（Ｕｐ−Ｌｉｎｋ，  ＵＬ）を通して基地局（ＢＳ）に比較的  長データの転送時に基地局（ＢＳ）とユーザー側（ＵＥ）との間に割り当てられる。このとき、アップリンク（ＵＬ）共通パケットチャンネル（ＣＰＣＨ）は、閉鎖ループ電力制御（Ｃｌｏｓｅ  Ｌｏｏｐ  Ｐｏｗｅｒ  Ｃｏｎｔｒｏｌ）を行うためのチャンネルである専用チャンネル（Ｄｅｄｉｃａｔｅｄ  Ｃｈａｎｎｅｌ，  ＤＣＨ）と関連しており、専用チャンネル（ＤＣＨ）は物理チャンネルの専用物理制御チャンネル（Ｄｅｄｉｃａｔｅｄ  Ｐｈｙｓｉｃａｌ  Ｃｏｎｔｒｏｌ  Ｃｈａｎｎｅｌ，  ＤＰＣＣＨ）にマッピングされる。このような共通パケットチャンネル（ＣＰＣＨ）はランダムアクセス（Ｒａｎｄｏｍ  Ａｃｃｅｓｓ）方式にて多くのユーザー側（ＵＥ）に割り当てられる。
【０００４】
現在、３ＧＰＰでは共通パケットチャンネル（ＣＰＣＨ）の割当時、所望の割当チャンネルが  衝突する場合を考慮して效率的に共通パケットチャンネル（ＣＰＣＨ）を割り当てることが重要視されている。
【０００５】
図１は従来技術による共通パケットチャンネル（ＣＰＣＨ）の転送方式の説明図で、図２は従来技術による共通パケットチャンネル（ＣＰＣＨ）のためのダウンリンク専用物理制御チャンネル（ＤＬ  ＤＰＣＣＨ）の構造図である。
【０００６】
共通パケットチャンネル（ＣＰＣＨ）方式は、図１に示すように、基地局が提供する共通パケットチャンネル（ＣＰＣＨ）の利用可否及び最大転送率情報を転送する共通パケットチャンネル状態指示チャンネル（ＣＳＩＣＨ：ＣＰＣＨ  Ｓｔａｔｕｓ  Ｉｎｄｉｃａｔｏｒ  Ｃｈａｎｎｅｌ）、特定物理共通パケットチャンネル（ＰＣＰＣＨ）使用を要請するＰＣＰＣＨ  ＡＰ部（Ａｃｃｅｓｓ  Ｐｒｅａｍｂｌｅ  ｐａｒｔ）（以下  ＡＰ）、ＡＰに対する応答を転送するＡＰ−ＡＩＣＨ（Ａｃｃｅｓｓ  Ｐｒｅａｍｂｌｅ−Ａｃｑｕｉｓｉｔｉｏｎ  Ｉｎｄｉｃａｔｏｒ  Ｃｈａｎｎｅｌ）、衝突検出及び解決（Ｃｏｌｌｉｓｉｏｎ  Ｄｅｔｅｃｔｉｏｎ  ａｎｄ  Ｒｅｓｏｌｕｔｉｏｎ）のためのＰＣＰＣＨ  ＣＤ−Ｐ（Ｃｏｌｌｉｓｉｏｎ  Ｄｅｔｅｃｔｉｏｎ  Ｐｒｅａｍｂｌｅ）  ｐａｒｔ（以下  ＣＤ−Ｐ）、  ＣＤ−Ｐに対する応答と    チャンネル割当のための  ＣＤ／ＣＡ−ＩＣＨ  （Ｃｏｌｌｉｓｉｏｎ  Ｄｅｔｅｃｔｉｏｎ／Ｃｈａｎｎｅｌ  Ａｓｓｉｇｎｍｅｎｔ  Ｉｎｄｉｃａｔｏｒ  Ｃｈａｎｎｅｌ）、データ転送前に転送電力レベルを設定するための０または８スロット長さのＰＣＰＣＨ  ＰＣ−Ｐ（Ｐｏｗｅｒ  Ｃｏｎｔｒｏｌ  Ｐｒｅａｍｂｌｅ）  ｐａｒｔ（以下  ＰＣ−Ｐ）、インナーループ電力制御（Ｉｎｎｅｒ  ｌｏｏｐ  ｐｏｗｅｒ  ｃｏｎｔｒｏｌ）を提供するための  ＤＬ  ＤＰＣＣＨ（Ｄｅｄｉｃａｔｅｄ  Ｐｈｙｓｉｃａｌ  Ｃｏｎｔｒｏｌ  Ｃｈａｎｎｅｌ）、並びにユーザーパケットデータを転送するＰＣＰＣＨメッセージ部から構成される。ここで、ＰＣＰＣＨメッセージ部は、さらにＰＣＰＣＨメッセージデータ部と、ＰＣＰＣＨメッセージ制御部とに分けられる。
【０００７】
そして、３ＧＰＰで共通パケットチャンネル（ＣＰＣＨ）は２種類のモードで動作する。
【０００８】
その一つは端末に該当するＵＥ（Ｕｓｅｒ  Ｅｑｕｉｐｍｅｎｔ）が共通パケットチャンネル（ＣＰＣＨ）を選択するＵＣＳＭ（ＵＥ  Ｃｈａｎｎｅｌ  Ｓｅｌｅｃｔｉｏｎ  Ｍｅｔｈｏｄ）、もう一つは基地局に該当するノード  Ｂが共通パケットチャンネル（ＣＰＣＨ）を割り当ててＵＥに知らせるＶＣＡＭ（Ｖｅｒｓａｔｉｌｅ  Ｃｈａｎｎｅｌ  Ａｓｓｉｇｎｍｅｎｔ  Ｍｅｔｈｏｄ）である。
【０００９】
ＵＣＳＭで共通パケットチャンネル状態指示チャンネル（ＣＰＣＨ  Ｓｔａｔｕｓ  Ｉｎｄｉｃａｔｏｒ  Ｃｈａｎｎｅｌ  ：以下ＣＳＩＣＨと略称する）は、各共通パケットチャンネル（ＣＰＣＨ）の利用可否を周期的に転送する。
【００１０】
ＶＣＡＭでＣＳＩＣＨは、各共通パケットチャンネル（ＣＰＣＨ）の利用可否及び最大転送率情報を周期的に転送する。
【００１１】
そして、アクセスプリアンブル（ＡＰ）、衝突検出プリアンブル（ＣＤ−Ｐ）及びＡＰ−ＡＩＣＨは、１６長さを持つ記号群（ｓｉｇｎａｔｕｒｅ  ＳＥＴ）の１６個のうち一つを転送する。
【００１２】
ＵＣＳＭでＡＰ記号は特定チャンネルを指す。より詳しくは、ＡＰ記号は特定チャンネルのスクランブリングコード（ｓｃｒａｍｂｌｉｎｇ  ｃｏｄｅ）を指す。
【００１３】
ＶＣＡＭでＡＰ記号はユーザー側（ＵＥ）の所望のデータ転送率を指す。ＶＣＡＭではＡＰ記号、ＣＤ／ＣＡ−ＩＣＨの記号及びコードで特定のチャンネルを指す。
【００１４】
ＣＤ／ＣＡ−ＩＣＨの互いに異なる１６長さを持つ記号群の１６個中、８個はＣＤ−Ｐに対する応答用として、残り８個はチャンネル割当用として用いられる。
【００１５】
ＣＤ／ＣＡ−ＩＣＨは、ＵＣＳＭ方式ではＣＤ−Ｐ応答のための記号の８個のうち一つを転送し、ＶＣＡＭ方式ではＣＤ−Ｐ応答のための８個記号の一つとチャンネル割当のための８個の記号のうち一つとを同時に転送する。従って、ＶＣＡＭ方式では互いに異なる用途のために同時に二つの記号を転送する。
【００１６】
従来技術のダウンリンク専用物理チャンネル（ＤＬ  ＤＰＣＨ）の構造は図２に示す通りである。専用物理チャンネル（ＤＰＣＨ）は、専用物理制御チャンネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）と、専用物理データチャンネル（ＤＰＤＣＨ  ：Ｄｅｄｉｃａｔｅｄ  Ｐｈｙｓｉｃａｌ  Ｄａｔａ  Ｃｈａｎｎｅｌ）とから構成される。従来構造でＤＬ  ＤＰＣＣＨはパイロット、ＴＰＣ、ＴＦＣＩからなり、ＤＬ  ＤＰＤＣＨはデータチャンネルのみからなる。ＣＰＣＨのために用いられる共通チャンネルのための  ＤＬ  ＤＰＣＣＨ（ＣＰＣＨ用ＤＬ  ＤＰＣＣＨ）ではＴＦＣＩは用いられない。また、ＤＬ  ＤＰＤＣＨも用いられない。
【００１７】
図３ａ〜図３ｃは従来技術による正常パケットチャンネル転送過程を説明するための図である。
【００１８】
図３ａ〜図３ｃはユーザー無線リンク制御階層（ＵＥ  ＲＬＣ）でサービングユーザー無線ネットワーク制御機−無線リンク制御（ＳＲＮＣ−ＲＬＣ）階層間の転送ブロック群（Ｔｒａｎｓｐｏｒｔ  Ｂｌｏｃｋ  Ｓｅｔ）のための共通パケットチャンネル（ＣＰＣＨ）転送過程を示している。
【００１９】
まず、ユーザー側（ＵＥ）は無線ベアラー設定（ＲＡＤＩＯ  ＢＥＡＲＥＲ  ＳＥＴＵＰ）または転送チャンネル再構成（ＴＲＡＮＳＰＯＲＴ  ＣＨＡＮＮＥＬ  ＲＥＣＯＮＦＩＧＵＲＡＴＩＯＮ）のような無線リソース制御（ＲＲＣ）手順を通して、共通パケットチャンネル（ＣＰＣＨ）の転送のための共通パケットチャンネル（ＣＰＣＨ）構成を実施する。
【００２０】
すなわち、ユーザー側（ＵＥ）の無線リンク制御（ＲＬＣ）階層１からＭＡＣ−Ｄ−データ−ＲＥＱを通してデータ転送の要求されたユーザー側（ＵＥ）ＭＡＣ階層２は、初めてユーザー側（ＵＥ）Ｌ１階層３にＰＨＹ−ＣＰＣＨ−状態−ＲＥＱを通して共通パケットチャンネル（ＣＰＣＨ）の状態情報を要請する。このような状態情報はＡＰ−ＡＩＣＨのようなチャンネル化コードを使用するＣＳＩＣＨを通して放送される。
【００２１】
ユーザー側（ＵＥ）Ｌ１階層３は、ＣＳＩＣＨから状態情報を受信してＰＨＹ−ＣＰＣＨ−状態−ＣＮＦを通してユーザー側（ＵＥ）  ＭＡＣ階層２に伝達する。
【００２２】
ＣＳＩＣＨ情報からユーザー側（ＵＥ）ＭＡＣ階層２は共通パケットチャンネル（ＣＰＣＨ）アクセス要求のための転送フォーマットを選択し、パーシステント値（Ｐｅｒｓｉｓｔｅｎｃｙ  ｖａｌｕｅ）に従うパーシステントチェック（ｐｅｒｓｉｓｔｅｎｃｙ  ｃｈｅｃｋ）を実施して、特定の長さの遅延以後にＰＨＹ−アクセス−ＲＥＱを通してユーザー側（ＵＥ）  Ｌ１（３）にアクセス要求をする。このとき、ユーザー側（ＵＥ）  Ｌ１（３）は第１電力（Ｐ１）でＡＰを転送する。続いて、一定の時間以後ＡＰに対する応答を受信できない場合、前記第１電力（Ｐ１）より高い第２電力（Ｐ２）でＡＰを再転送する。
【００２３】
ユーザー側（ＵＥ）Ｌ１（３）からＡＰを受信した基地局（ノード  Ｂ）Ｌ１（４）は基地局（ノード  Ｂ）ＲＲＣ５にこれを知らせ、特定記号（ｓｉｇｎａｔｕｒｅ）を選択してＡＰ−ＡＩＣＨを通してユーザー側（ＵＥ）  Ｌ１（３）に特定記号を転送する。このとき、ＡＰに対するＡＣＫ可否はＡＰ−ＡＩＣＨの符号によって決定される。
【００２４】
ＡＰ−ＡＩＣＨを通してＡＣＫを受信したユーザー側（ＵＥ）Ｌ１（３）は基地局（ノード−Ｂ）Ｌ１（４）にＣＤ−Ｐを転送する。ＣＤ−Ｐを受信した基地局（ノード  Ｂ）は特定の記号（ｓｉｇｎａｔｕｒｅ）を選択してＣＤ／ＣＡ−ＩＣＨを転送する。
【００２５】
ＵＣＳＭでＣＤ／ＣＡ−ＩＣＨはＣＤ−Ｐに対する応答のみをする。
【００２６】
ＶＣＡＭでＣＤ／ＣＡ−ＩＣＨはＣＤ−Ｐに対する応答とチャンネル割当機能を行う。このとき、ＶＣＡＭでこうしたチャンネル割当情報はユーザー側（ＵＥ）Ｌ１（３）でＰＣ−Ｐと共通制御チャンネルメッセージ部（ＣＰＣＨ  ｍｅｓｓａｇｅ  ｐａｒｔ）（ＣＰＣＨ  ｍｅｓｓａｇｅ  ｄａｔａ  ｐａｒｔ，ＣＰＣＨ  ｍｅｓｓａｇｅ  ｃｏｎｔｒｏｌ  ｐａｒｔ）のためのスクランブリングコードを定義する。
【００２７】
ユーザー側（ＵＥ）Ｌ１（３）からＰＨＹ−アクセス−ＣＮＦを受信したユーザー側（ＵＥ）ＭＡＣ階層２は、共通パケットチャンネル（ＣＰＣＨ）転送フォーマットを選択して転送ブロック群を作った後、ＰＨＹ−データ−ＲＥＱを通してデータ転送を要求する。
【００２８】
ＰＨＹ−データ−ＲＥＱを受信したユーザー側（ＵＥ）Ｌ１（３）は０または８スロット長さの転送電力制御プリアンブル（ＰＣ−Ｐ）の設定後にメッセージを転送する。
【００２９】
そして、共通パケットチャンネル（ＣＰＣＨ）を通したデータ転送は、全てのデータを転送するまで続いたり、あるいはシステムが指定した最大フレーム長さまで続く。
【００３０】
このとき、無線ネットワーク制御器（ＲＮＣ）ＲＬＣ階層８のＡＣＫまたはＮＡＫ情報は、ＦＡＣＨを通してユーザー側（ＵＥ）ＲＬＣ１に伝達される。
【００３１】
このように、図３ａ〜図３ｃのＡ〜Ｂポイントは一番目に転送される転送ブロック群のための共通パケットチャンネル（ＣＰＣＨ）転送過程を示しており、図３ａ〜図３ｃのＣとＤポイントとの間は連続するそれぞれの転送ブロック群転送のための共通パケットチャンネル（ＣＰＣＨ）転送過程を示している。
【００３２】
【発明が解決しようとする課題】
しかし、このような従来共通パケットチャンネル（ＣＰＣＨ）の割当方法は、共通的に共通パケットチャンネル（ＣＰＣＨ）の割当情報が転送時にエラーで誤って受信される場合、既に使用中の共通パケットチャンネルを重複して使用されることで、一定の品質の通信サービスを提供出来ないという問題点がある。
【００３３】
すなわち、図１では共通パケットチャンネル決定過程でエラーが発生しても、ユーザー側（ＵＥ）がこれをわからなくて割り当てられた共通パケットチャンネル（ＣＰＣＨ）とは異なる共通パケットチャンネル（ＣＰＣＨ）を通して基地局にデータを転送する誤動作状況を防止出来ないという問題点があった。
【００３４】
本発明は前記問題点に鑑みてなされたもので、その目的は、ユーザー側が基地局で割り当てた共通パケットチャンネル（ＣＰＣＨ）を正確に利用してデータを転送にできる次世代移動通信における共通パケットチャンネル割当方法を提供することにある。
【００３５】
【課題を解決するための手段】
本発明による次世代移動通信における共通パケットチャンネル（ＣＰＣＨ）割当方法は、基地局（ＢＳ）が、ユーザー側から電力制御プリアンブルが転送されると、専用物理チャンネル（ＤＰＣＨ）を通して前記ユーザー側（ＵＥ）に共通パケットチャンネル制御命令情報（ＣＰＣＨ）を送信する段階、及び前記ユーザー側の前記共通パケットチャンネル制御命令情報（ＣＣＣ）が設定時間内に受信されると、共通パケットチャンネルを通して前記基地局側に共通パケットチャンネルメッセージを転送する段階を含んでなされ、それにより上記目的を達成する。
【００３６】
前記共通パケットチャンネル制御命令（ＣＣＣ）情報は、前記基地局と前記ユーザー測との間の前記共通パケットチャンネルメッセージの開始を指示するメッセージ開始指示器情報であってもよい。
【００３７】
前記メッセージ開始指示器は、前記ユーザー側が前記基地局に前記共通パケットチャンネルメッセージの転送レベルを設定するための転送電力プリアンブルを転送すれば、前記ユーザー側に転送してもよい。
【００３８】
前記メッセージ開始指示器は、前記ユーザー側が前記基地局に転送電力レベルを設定するための電力制御プリアンブル（ＰＣ−Ｐ）を転送直後、複数のフレームの間に前記専用物理チャンネルを通して転送してもよい。
【００３９】
前記共通パケットチャンネル制御命令情報は、１スロット、１フレームまたは２フレーム以上から構成されてもよい。
【００４０】
前記メッセージ開始指示器は、前記電力制御プリアンブルの転送フォーマット組合せ指示器（ＴＦＣＩ）フィールドに挿入して、前記専用物理制御チャンネル（ＤＰＣＣＨ）を通して送出してもよい。
【００４１】
前記共通パケットチャンネル制御命令情報を前記ユーザー側に転送するためのフィールドは、前記共通パケットチャンネル制御命令情報を前記ユーザー側に転送しない時間にはチャンネル推定または電力制御のための測定用として用いてもよい。
【００４２】
前記ユーザー側は、前記基地局に前記電力制御プリアンブルの転送が終了すれば、前記共通パケットチャンネル制御命令（ＣＣＣ）情報の受信と無関係に前記共通パケットチャンネルメッセージを前記基地局に転送してもよい。
【００４３】
前記ユーザー側が前記共通パケットチャンネル制御命令情報を設定時間内に受信できないと、前記基地局に転送中の前記共通パケットチャンネルメッセージ転送を直ぐ中断してもよい。
【００４４】
前記基地局から前記ユーザーへのダウンリンク専用物理制御チャンネルにおける前記共通パケットチャンネルのための前記専用物理制御チャンネル（ＤＰＣＣＨ）は、パイロットフィールド、転送電力制御（ＴＰＣ）フィールド、転送フォーマット組合せ指示器（ＴＦＣＩ）フィールド及び共通パケットチャンネル制御命令フィールドからなってもよい。
【００４５】
前記共通パケットチャンネルのための前記専用物理制御チャンネルの前記転送電力制御（ＴＰＣ）フィールドは少なくとも２ビットからなり、前記共通パケットチャンネル制御命令フィールド（ＣＣＣ）は少なくとも４ビットからなり、前記パイロットフィールドは少なくとも４ビットからなり、前記転送フォーマット組合せ指示器（ＴＦＣＩ）フィールドは使用されなくてもよい。
【００４６】
前記共通パケットチャンネルのための前記専用物理制御チャンネルの前記転送電力制御（ＴＰＣ）フィールド、前記転送フォーマット組合せ指示器（ＴＦＣＩ）フィールド及び前記共通パケットチャンネル制御命令フィールド（ＣＣＣ）は少なくとも２ビットからなり、前記パイロットフィールドは少なくとも４ビットからなってもよい。
【００４７】
前記目的を達成するために、本発明は、基地局（ＢＳ）が、ユーザー側から電力制御プリアンブルが転送されると、専用物理チャンネル（ＤＰＣＨ）を通して前記ユーザー側（ＵＥ）に共通パケットチャンネル制御命令情報（ＣＰＣＨ  Ｃｏｎｔｒｏｌ  Ｃｏｍｍａｎｄ）を送信する段階；及び  前記ユーザー側の前記共通パケットチャンネル制御命令情報（ＣＣＣ）が設定時間内に受信されると、共通パケットチャンネルを通して前記基地局側に前記共通パケットチャンネルメッゼジーを転送する段階を含んでなされる。
【００４８】
【発明の実施の形態】
以下、添付図面に基づき、本発明の好適実施例を詳細に説明する。
【００４９】
図４は本発明による共通パケットチャンネル（ＣＰＣＨ）の転送方式を説明するための図で、図５は本発明による共通パケットチャンネルのためのダウンリンク専用物理制御チャンネル（ＣＰＣＨ用ＤＬ  ＤＰＣＣＨ）の構造を示す図で、図６は本発明による共通パケットチャンネルのためのダウンリンク専用物理制御チャンネルのフォーマットを示す図である。
【００５０】
本発明による共通パケットチャンネル（ＣＰＣＨ）方式が従来の共通パケットチャンネル（ＣＰＣＨ）方式と異なる点は、図４に示すようなダウンリンク専用物理チャンネル（ＤＬ  ＤＰＣＨ）を通したメッセージ開始指示器（Ｓｔａｒｔｏｆ  Ｍｅｓｓａｇｅ  Ｉｎｄｉｃａｔｏｒ）  の転送にある。このために、本発明では図５に示すように、ダウンリンク専用物理チャンネル（ＤＬ−ＤＰＣＨ）にパイロット（ｐｉｌｏｔ）及び転送電力制御（Ｔｒａｎｓｍｉｔ  Ｐｏｗｅｒ  Ｃｏｎｔｒｏｌ：ＴＰＣ）情報だけでなく、共通パケットチャンネル制御命令（ＣＰＣＨ  Ｃｏｎｔｒｏｌ  Ｃｏｍｍａｎｄ  ：以下  ＣＣＣと略称する）情報を共に転送する。これは従来の方式にはないもので、従来技術の問題点を解決可能であるようにした。
【００５１】
すなわち、本発明の共通パケットチャンネルのためのダウンリンク専用物理制御チャンネル（ＣＰＣＨ用ＤＬ  ＤＰＣＣＨ）は、制御情報だけを転送するので、本発明でダウンリンク専用物理制御チャンネル（ＤＬ  ＤＰＤＣＨ）は使用しない。より詳しくは、本発明で共通パケットチャンネルのためのダウンリンク専用物理制御チャンネル（ＣＰＣＨ用ＤＬ  ＤＰＣＣＨ）は、パイロット、転送電力制御（ＴＰＣ）、転送フォーマット組合せ指示器（Ｔｒａｎｓｍｉｔ  Ｆｏｒｍａｔ  Ｃｏｍｂｉｎａｔｉｏｎ  Ｉｎｄｉｃａｔｏｒ  ：以下ＴＦＣＩと略称する）及びＣＣ情報から構成される。ここで、ＴＦＣＩ情報は０  ビットであって使用されない。
【００５２】
そして、ＣＣＣは一般の共通パケットチャンネル（ＣＰＣＨ）制御命令または共通パケットチャンネル（ＣＰＣＨ）制御情報をいうが、具体的にはダウンリンク専用物理チャンネル（ＤＬ  ＤＰＣＨ）を通したメッセージ開始指示器を転送するための第１階層Ｌ１制御情報と、第１階層Ｌ１以上の上位制御情報とに分けられる。すなわち、ＣＣＣは第１階層Ｌ１制御情報及び命令であることもあり、その以上の上位階層の制御情報及び命令であることもある。このとき、ＣＣＣフィールドを通して転送されるＣＣＣの長さはスロット単位であることもあり、フレーム単位であることもある。例えば、ＣＣＣは１スロット長さの命令または情報であることもあり、１フレームまたは数フレーム命令または情報であることもある。このようなＣＣＣは共通パケットチャンネルのためのダウンリンク専用物理制御チャンネル（ＣＰＣＨ用ＤＬ  ＤＰＣＣＨ）のＣＣＣフィールドに転送される。各ＣＣＣは特定のシーケンスと対応する。従って、各ＣＣＣ命令または情報は互いに異なるシーケンスに区分される。システムはこれらのシーケンス情報を予め定めたり、３ＧＰＰシステムの放送チャンネル（Ｂｒｏａｄｃａｓｔ  Ｃｈａｎｎｅｌ  ：ＢＣＨ）や、順方向アクセスチャンネル（Ｆｏｒｗａｒｄ  Ａｃｃｅｓｓ  Ｃｈａｎｎｅｌ：ＦＡＣＨ）のような制御チャンネルを通してシステム運営途中にそのシーケンス情報を転送できる。
【００５３】
ＣＣＣの一つであるメッセージ開始指示器（以下ＳＭＩ）は、数フレーム制御情報である。
【００５４】
このとき、ＳＭＩ転送のために基地局はダウン専用物理制御チャンネル（ＤＬＤＰＣＣＨ）のＣＣＣフィールドにＳＭＩのための特定のシーケンスを数フレーム間に転送する。基地局システムはＳＭＩのためのシーケンスを予め定めたり、３ＧＰＰシステムのＢＣＨ）や、ＦＡＣＨのような制御チャンネルを通して、そのシーケンス情報を転送できる。ＳＭＩのためのシーケンスは全ての任意のシーケンスが可能である。例えば各スロットごとに繰り返し転送される［００００］、［１１１１］、［１０１０］、［０１０１］、［１１００］、［００１１］などがある。
【００５５】
例えば、アップＣＰＣＨの０または８スロット長さが電力制御プリアンブル（ＰＣ−Ｐ）後にすぐ数フレーム間に、［１０１０］シーケンスが各スロットごとに繰り返し数フレーム間に転送されるのである。
【００５６】
ＳＭＩシーケンスの転送長さも予め定めたり、３ＧＰＰシステムのＢＣＨやＦＡＣＨのような制御チャンネルを通して転送される。
【００５７】
仮りにＣＣＣフィールドを通してあるＣＣＣ情報または命令が転送されない場合、ＣＣＣフィールドにはなにも転送されなかったり、ある特定のパターンが転送される。この特定のパターンはチャンネル推定または電力制御のための測定用として用いられる。
【００５８】
図７ａ〜図７ｃは本発明による正常共通パケットチャンネル転送過程を説明するための図である。
【００５９】
まず、ユーザー側（ＵＥ）は無線ベアラ設定（ＲＡＤＩＯ  ＢＥＡＲＥＲ  ＳＥＴＵＰ）または転送チャンネル再構成（ＴＲＡＮＳＰＯＲＴ  ＣＨＡＮＮＥＬＲＥＣＯＮＦＩＧＵＲＡＴＩＯＮ）のような無線リソース制御（ＲＲＣ）手順を通して、共通パケットチャンネル（ＣＰＣＨ）の転送のための共通パケットチャンネル（ＣＰＣＨ）構成を実施する。
【００６０】
すなわち、ユーザー側（ＵＥ）の無線リンク制御（ＲＬＣ）階層２１からＭＡＣ−Ｄ−データ−ＲＥＱを通してデータ転送の要求されたユーザー側（ＵＥ）ＭＡＣ階層２２は、初めてユーザー側（ＵＥ）Ｌ１階層２３にＰＨＹ−ＣＰＣＨ−状態−ＲＥＱを通して共通パケットチャンネル（ＣＰＣＨ）の状態情報を要請する。このような状態情報はＡＰ−ＡＩＣＨのようなチャンネル化コードを使用するＣＳＩＣＨを通して放送される。
【００６１】
ユーザー側（ＵＥ）Ｌ１階層２３は、ＣＳＩＣＨから状態情報を受信してＰＨＹ−ＣＰＣＨ−状態−ＣＮＦを通してユーザー側（ＵＥ）  ＭＡＣ階層２２に伝達する。
【００６２】
ＣＳＩＣＨ情報からユーザー側（ＵＥ）ＭＡＣ階層２２は共通パケットチャンネル（ＣＰＣＨ）アクセス要求のための転送フォーマットを選択し、パーシステント値（Ｐｅｒｓｉｓｔｅｎｃｙ  ｖａｌｕｅ）に従うパーシステントチェック（ｐｅｒｓｉｓｔｅｎｃｙ  ｃｈｅｃｋ）を実施して、特定の長さの遅延以後にＰＨＹ−アクセス−ＲＥＱを通してユーザー側（ＵＥ）Ｌ１（２３）にアクセス要求をする。このとき、ユーザー側（ＵＥ）Ｌ１（２３）は第１電力（Ｐ１）でＡＰを転送する。続いて、一定の時間以後ＡＰに対する応答を受信できない場合、電力を高くして第２電力（Ｐ２）でＡＰを再転送する。
【００６３】
ユーザー側（ＵＥ）Ｌ１（２３）からＡＰを受信した基地局（ノード  Ｂ）Ｌ１（２４）は基地局（ノード  Ｂ）ＲＲＣ（２５）にこれを知らせ、特定の記号を選択してＡＰ−ＡＩＣＨを通してユーザー側（ＵＥ）  Ｌ１（２３）に特定の記号を転送する。このとき、ＡＰに対するＡＣＫ可否はＡＰ−ＡＩＣＨのコードによって決定される。
【００６４】
ＡＰ−ＡＩＣＨを通してＡＣＫを受信したユーザー側（ＵＥ）Ｌ１（２３）は基地局（ノード−Ｂ）Ｌ１（２４）にＣＤ−Ｐを転送する。ＣＤ−Ｐを受信した基地局（ノード  Ｂ）は特定の記号を選択してＣＤ／ＣＡ−ＩＣＨを転送する。ＵＣＳＭでＣＤ／ＣＡ−ＩＣＨはＣＤ−Ｐに対する応答のみをする。
【００６５】
ＶＣＡＭでＣＤ／ＣＡ−ＩＣＨはＣＤ−Ｐに対する応答とチャンネル割当機能を行う。このとき、ＶＣＡＭでこうしたチャンネル割当情報はユーザー側（ＵＥ）Ｌ１（２３）でＰＣ−Ｐと共通制御チャンネルメッセージパート（ＣＰＣＨ  ｍｅｓｓａｇｅ  ｐａｒｔ）（ＣＰＣＨ  ｍｅｓｓａｇｅ  ｄａｔａ  ｐａｒｔ，ＣＰＣＨ  ｍｅｓｓａｇｅ  ｃｏｎｔｒｏｌ  ｐａｒｔ）のためのスクランブリングコードを定義する。
【００６６】
ユーザー側（ＵＥ）Ｌ１（２３）からＰＨＹ−アクセス−ＣＮＦを受信したユーザー側（ＵＥ）ＭＡＣ階層２２は、共通パケットチャンネル（ＣＰＣＨ）転送フォーマットを選択して転送ブロック群を作った後、ＰＨＹ−データ−ＲＥＱを通してデータ転送を要求する。
【００６７】
ＰＨＹ−データ−ＲＥＱを受信したユーザー側（ＵＥ）Ｌ１（２３）は０または８スロット長さの転送電力制御プリアンブル（ＰＣ−Ｐ）の設定後にメッセージを転送する。
【００６８】
共通パケットチャンネル（ＣＰＣＨ）を通したデータ転送は、全てのデータを転送するまで続いたり、あるいはシステムが指定した最大フレーム長さまで続く。
【００６９】
一番目の転送ブロックが転送される間に、基地局（ノード  Ｂ）Ｌ１（２４）はメッセージ開始指示器をユーザー側（ＵＥ）Ｌ１（２３）に転送する。ユーザー側（ＵＥ）Ｌ１（２３）はメッセージ開始指示器の受信可否によって正しい共通パケットチャンネル（ＣＰＣＨ）を開いたか否かを判断することになる。もしユーザー側（ＵＥ）Ｌ１（２３）が既設定（約束）の時間の間にメッセージ開始指示器を受信できない場合、直ぐ共通パケットチャンネル（ＣＰＣＨ）メッセージ転送を中断する。そうでない場合、ユーザー側（ＵＥ）Ｌ１（２３）はメッセージ転送を続ける。より詳しくは、ユーザー側（ＵＥ）  Ｌ１（２３）は電力制御プリアンブル（ＰＣ  ｐｒｅａｍｂｌｅ）以後Ｎｓｍｉフレーム間に共通パケットチャンネルのためのダウンリンク専用物理制御チャンネル（ＣＰＣＨ用ＤＬＤＰＣＣＨに転送されるメッセージ開始指示器を受信する。もしユーザー側（ＵＥ）Ｌ１（２３）が予め約束したＮｓｍｉフレームの間にメッセージ開始指示器を受信できない場合、ユーザー側（ＵＥ）Ｌ１（２３）は共通パケットチャンネル（ＣＰＣＨ）メッセージ転送を中断し、ユーザー側（ＵＥ）ＭＡＣ２２に失敗メッセージを通知する。
【００７０】
しかし、ユーザー側（ＵＥ）Ｌ１（２３）が、予め約束したＮｓｍｉフレーム間にメッセージ開始指示器を受信する場合、そのユーザー側（ＵＥ）Ｌ１（２３）はメッセージを転送し続けることになる。ここで、Ｎｓｍｉフレーム値はシステム情報であって、放送チャンネル（ＢＣＨ）またはアップアクセスチャンネル（ＦＡＣＨ）などの制御チャンネルでユーザー側（ＵＥ）Ｌ１（２３）に予め転送される。
【００７１】
一方、無線ネットワーク制御（ＲＮＣ）無線リンク制御（ＲＬＣ）階層２８のＡＣＫ（Ａｃｋｎｏｗｌｅｄｇｅｍｅｎｔ）またはＮＡＫ（Ｎｏｎ−ａｃｋｎｏｗｌｅｄｇｅｍｅｎｔ）情報は、アップアクセスチャンネル（ＦＡＣＨ）を通してユーザー側（ＵＥ）ＲＬＣ２１に伝達される。
【００７２】
図７ａ〜図７ｃのＡ〜Ｂポイントは一番目に転送される転送ブロック群（Ｔｒａｎｓｐｏｒｔ  Ｂｌｏｃｋ  Ｓｅｔ）のための共通パケットチャンネル（ＣＰＣＨ）転送過程を示している。そして、図７ａ〜図７ｃのＣとＤポイントとの間は連続のそれぞれの転送ブロック群（Ｔｒａｎｓｐｏｒｔ  Ｂｌｏｃｋ  Ｓｅｔ）の転送のための共通パケットチャンネル（ＣＰＣＨ）転送過程を示している。
【００７３】
図８は本発明による共通パケットチャンネル（ＣＰＣＨ）のためのダウンリンク専用物理制御チャンネル（ＤＬ  ＤＰＣＣＨ  ｆｏｒ  ＣＰＣＨ）の第２フォーマットを示した図である。
【００７４】
本発明による共通パケットチャンネル（ＣＰＣＨ）のためのダウンリンク専用物理制御チャンネル（ＤＬ  ＤＰＣＣＨ  ｆｏｒ  ＣＰＣＨ）の第２フォーマットは、図７ａ〜図７ｃに示した第１  フォーマットと類似しているが、違う点はダウンリンク専用物理制御チャンネル（ＤＬ  ＤＰＣＣＨ）の転送フォーマット組合せ指示器（ＴＦＣＩ）ビットが２ビットであり、共通パケットチャンネル制御命令（ＣＰＣＨ  Ｃｏｎｔｒｏｌ  Ｃｏｍｍａｎｄ  ：ＣＣＣ）フィールドが２ビットである、ことである。
【００７５】
すなわち、図８は本発明による共通パケットチャンネルのためのダウンリンク専用物理制御チャンネル（ＣＰＣＨ用ＤＬ  ＤＰＣＣＨ）の第２フォーマットを示した図である。尚、ＴＦＣＩフィールドは、第１階層Ｌ１及び上位階層の共通パケットチャンネル制御（ＣＰＣＨ  ｃｏｎｔｒｏｌ）情報転送のために用いることができる。
【００７６】
もし、ＴＦＣＩフィールドが共通パケットチャンネル制御（ＣＰＣＨ  ｃｏｎｔｒｏｌ）情報転送のために用いられる場合、共通パケットチャンネル制御命令（ＣＣＣ）フィールドのように一般のシーケンスで表現される制御情報が転送される。例えば、ＴＦＣＩエンコーディングと物理チャンネルに対するＴＦＣＩマッピング方式を用いてＴＦＣＩコードワードで表現される制御情報の転送が可能である。このとき、ＴＦＣＩフィールドに転送される情報が共通パケットチャンネル（ＣＰＣＨ）制御情報であるものの、物理的な動作方式はＴＦＣＩと同様に動作する。
【００７７】
そして、ＴＦＣＩフィールドに転送される情報とＣＣＣフィールドに転送される情報とは同時に転送できるように構成されたり、同時に転送されないように構成される。もし、同時に転送されないように構成する場合、メッセージ開始指示器（以下、ＳＭＩと略称する）のための４ビットシーケンスらは、２ビットＴＦＣＩと２ビットＣＣＣフィールドを一つの４ビットフィールドとして４ビットＣＣＣフィールドのための方式と同様に転送する。
【００７８】
もし、同時に転送されるように構成する場合、メッセージ開始指示器（ＳＭＩ）と緊急中断（ＥＳ）のためのシーケンスは、［１１］、［００］、［１０］、［０１］などと共にスロット当たり２ビットからなって２ビットＣＣＣフィールドに転送される。２ビットＣＣＣの動作方式は、スロット当たりシーケンス長さが２ビットなものを除いて前述した４ビットＣＣＣ動作方式と同様である。
【００７９】
【発明の効果】
以上から説明したように、本発明は、特定のユーザー側（ＵＥ）が既に使用している共通パケットチャンネル（ＣＰＣＨ）を重複使用することを防止できるので、安定な通信サービスを提供できるという効果がある。
【００８０】
なお、本発明は、前記実施の形態に限定されず、当業者においては、本発明の請求の範囲に記載された技術的思想から逸脱しない範囲内で多様に変形や実施ができるのは当然である。
【図面の簡単な説明】
【図１】従来技術による共通パケットチャンネル（ＣＰＣＨ）の転送方式を説明するための図である。
【図２】従来技術による共通パケットチャンネル（ＣＰＣＨ）のためのダウンリンク専用物理制御チャンネル（ＤＬ  ＤＰＣＣＨ）の構造を示す図である。
【図３ａ】従来技術による正常共通パケットチャンネル転送過程を説明するための図である。
【図３ｂ】従来技術による正常共通パケットチャンネル転送過程を説明するための図である。
【図３ｃ】従来技術による正常共通パケットチャンネル転送過程を説明するための図である。
【図４】本発明による共通パケットチャンネル（ＣＰＣＨ）の転送方式を説明するための図である。
【図５】本発明による共通パケットチャンネルのためのダウンリンク専用物理制御チャンネル（ＣＰＣＨ用ＤＬ  ＤＰＣＣＨ）の構造を示す図である。
【図６】本発明による共通パケットチャンネルのためのダウンリンク専用物理制御チャンネル（ＣＰＣＨ用ＤＬ  ＤＰＣＣＨ）のフォーマットを示す図である。
【図７ａ】本発明による正常共通パケットチャンネル転送過程を説明するための図である。
【図７ｂ】本発明による正常共通パケットチャンネル転送過程を説明するための図である。
【図７ｃ】本発明による正常共通パケットチャンネル転送過程を説明するための図である。
【図８】本発明による共通パケットチャンネル（ＣＰＣＨ）のためのダウンリンク専用物理制御チャンネル（ＣＰＣＨ用ＤＬ  ＤＰＣＣＨ）の第２フォーマットを示した図である。
【図１】
0003658307.tif 000002
【図２】
0003658307.tif 000003
【図３ａ】
0003658307.tif 000004
【図３ｂ】
0003658307.tif 000005
【図３ｃ】
0003658307.tif 000006
【図４】
0003658307.tif 000007
【図５】
0003658307.tif 000008
【図６】
0003658307.tif 000009
【図７ａ】
0003658307.tif 000010
【図７ｂ】
0003658307.tif 000011
【図７ｃ】
0003658307.tif 000012
【図８】
0003658307.tif 000013